(57)【要約】      （修正有）【課題】ＬＥＤ照明器具を使用したＬＥＤ照明移動台車を提供する。【解決手段】１対の固定車輪５と１個の可動車輪を有し移動可能な台車と、該台車の両側面に、着脱自在に取付けられる１対の伸縮マスト３と、該伸縮マストの先端部に着脱自在に取付けられた複数のＬＥＤ照明器具４と、前記台車内に載置され前記照明器具を駆動する電源装置とから構成される。そして伸縮マストは、上下方向に伸縮可能とし、且つその下部に三脚部材２１を有する。【選択図】図３
0003151060.tif 000002
【実用新案登録請求の範囲】
【請求項１】
照明移動台車であって、１対の固定車輪と１個の可動車輪を有し移動可能な台車と、該台車の両側面に、着脱自在に取付けられる１対の伸縮マストと、該伸縮マストの先端部に着脱自在に取付けられた複数のＬＥＤ照明器具と、前記台車内に載置され前記照明器具を駆動する電源装置とから構成されることを特徴とするＬＥＤ照明移動台車。
【請求項２】
前記伸縮マストは、上下方向に伸縮可能とし、且つその下部に三脚部材を有することを特徴とする請求項１に記載のＬＥＤ照明移動台車。
【考案の詳細な説明】
【技術分野】
【０００１】
本考案は、照明移動台車であって、とくにＬＥＤを光源とする照明器具を、照明を必要とするところまで移動させて使用することが可能であり、且つこの照明器具を前記台車から取り外して移動させることによって、光照射範囲及び方向を変更可能なＬＥＤ照明移動台車に関するものである。
【背景技術】
【０００２】
従来から、工事現場などで夜間作業を行う場合に、現場の照明として投光機が用いられている。従来の投光機は、搭載された発動発電機による発電電力を利用して照明を行なっていた。また、所定の場所に載置された発電機から電源コードを用いて電源供給を受けて照明とするものや、商用電源から直接電源供給を受けて照明とするものが知られている。
【０００３】
しかしながら、上述した従来の投光機は、主に夜間工事に使用されるものであり、電力の供給源として発動機や発動発電機を使用していたため騒音の問題が生じていた。
【０００４】
そこで、電力源として蓄電池や燃料電池などの電池を用い、該電池から供給される電力により、高圧放電ランプを動作させる移動型投光機が提案されている（特許文献１参照。）。また、照明灯と、電力を蓄積して供給する蓄電池と、日光による照射によって電力を発生させる太陽光発電装置と、前記太陽光発電装置によって発生された電力を前記蓄電池に供給して充電し、照明が必要な場合に前記蓄電池から放電して前記照明灯へ電力を供給するように充放電制御を行なうコントローラを有する移動式投光機もある（特許文献２参照。）。
【先行技術文献】
【特許文献】
【０００５】
【特許文献１】特開２００５−６３９１７号公報
【特許文献２】特開２００６−３５１４８６号公報
【考案の概要】
【考案が解決しようとする課題】
【０００６】
しかしながら、上記特許文献１に提案されている投光機は、高圧放電ランプを使用するため、消費電力量が大きく、また畜電池も容量の大きなものを必要とした。また特許文献２に記載されている移動式投光機は、蓄電池と太陽光発電装置とを組合せて、照明が必要な場合にコントローラによって蓄電池の充放電制御を行なうものであり、装置構成が複雑となり高価なものとなった。
【０００７】
そこで、近年消費電力量を軽減できるＬＥＤを光源とする照明装置が提案されている。しかしながら、現時点において工事現場などの投光機用として適応したものは見られない。
【０００８】
上記の問題点に鑑み本考案者は、ＬＥＤを光源として構造が簡単な軽量で、且つエネルギー効率の高いＬＥＤ照明移動台車を提供するに至った。
【課題を解決するための手段】
【０００９】
このため、本考案のＬＥＤ照明移動台車は、１対の固定車輪と１個の可動車輪を有し移動可能な台車と、該台車の両側面に着脱自在に取付けられる１対の伸縮マストと、該伸縮マストの先端部に着脱自在に取付けられた複数のＬＥＤ照明器具と、前記台車内に載置され前記照明器具を駆動する電源装置とから構成されることを特徴とする。
【００１０】
また、前記伸縮マストは、上下方向に伸縮可能とし、且つその下部に三脚部材を有することを特徴とする。
【００１１】
前記電源装置としては、蓄電池など台車内に載置可能で軽量なものが望ましく、インバータを介してＬＥＤ照明器具に接続される。
【考案の効果】
【００１２】
本考案に係るＬＥＤ照明移動台車によれば、１対の固定車輪と１個の可動車輪を有し移動可能な台車と、該台車の両側面に着脱自在に取付けられる１対の伸縮マストと、該伸縮マストの先端部に着脱自在に取付けられた複数のＬＥＤ照明器具と、前記台車内に載置され前記照明器具を駆動する電源装置とから構成されているため、照明を必要とする場所に移動させて、最適な照明の範囲と箇所を選択して照明することができるという効果を有する。
【００１３】
さらに、伸縮マストを台車から取り外して移動し、三脚部材によって固定することが可能であり、ＬＥＤ照明器具を単独で照明が必要なところまで移動して使用できるという効果がある。
【図面の簡単な説明】
【００１４】
【図１】本考案に係るＬＥＤ照明移動台車の一実施例を示す正面説明図である。
【図２】図１の側面説明図である。
【図３】図１の斜視図である。
【図４】伸縮マストを示す正面説明図である。
【考案を実施するための形態】
【００１５】
以下、本考案を実施例を示す図面を参照しながら説明するが、本考案が本実施例に限定されないことは言うまでもない。図１は、本考案のＬＥＤ照明移動台車の一実施例を示す平面説明図、図２は図１の側面説明図、図３は図１の斜視図、図４は伸縮マストを示す正面説明図である。
【実施例】
【００１６】
図１乃至図３に示すように、本考案のＬＥＤ照明移動台車１は、台車本体２と、台車本体２の両側面に取付けられる２本の伸縮マスト３と、この伸縮マスト３上端部に取付けられる３個のＬＥＤ照明器具４とから構成されている。
【００１７】
台車本体２は、金属製の箱体からなり、底部の一端側に２個の固定車輪５、他端側中央に１個の可動車輪６とこの可動車輪６の両側に２個のストッパー７がそれぞれ取付けられ、また可動車輪６側の箱体側面上部には手摺８が取付けられており、人手によって移動自在とされている。台車本体２の側面下部には、伸縮マスト３の受け部９がそれぞれ設けられ、伸縮マスト３を載置可能とすると共に、台車本体２の両側面部に取付けられた筒体１０によって保持される。そして台車本体２の内部には、畜電池（ＤＣ１２Ｖ）１１、直流交流変換器(図示せず）などの電源装置が収納され、後述するＬＥＤ照明器具４とケーブル配線によって接続して電力を供給する。尚、電源装置のメンテナンスは、台車本体２正面側一端に設けられたメンテナンス用蓋１２の取り外しによって可能となる。
【００１８】
ＬＥＤ照明器具４には接続用ケーブル１３が接続されており、台車本体２のコンセント１４と接続し、蓄電池１１からの電力をＬＥＤ照明器具４に供給し、スイッチ１５によってＬＥＤ照明器具４が発光する。また蓄電池１１への充電には充電用コンセント１６から外部電力が供給される。そして蓄電池１１より要量が大きい外部蓄電池（ＤＣ２４Ｖ）から電力を供給するスタッド端子１７が台車本体２の側面に設けられ、切替えスイッチ１８によって選択される。尚、ＬＥＤ照明器具４は商用電源である交流１００Ｖによっても発光が可能であり、１００Ｖのコンセントがある場合には接続ケーブル１３によって直接接続して使用することができる。
【００１９】
図３は本考案のＬＥＤ照明移動台車の斜視図であり、３個のＬＥＤ照明器具４と接続する接続用ケーブル１３が台車本体２の正面側コンセント１４と接続した状態を示している。ここでスイッチ１５及び切替えスイッチ１８の操作によって蓄電池１１或いは外部の蓄電池が選択されてＬＥＤ照明器具４に電力が供給され、ＬＥＤ照明器具４が発光する。
【００２０】
図４は伸縮マスト３を示しており、挿通マスト１９と中空マスト２０及び三脚スタンド２１で構成されたアルミ合金又は鉄材からなり、伸縮調整部材２２によって上下方向に伸縮自在とされ、またその先端部にはＬＥＤ照明器具４をボルト２３を介して回動可能に取付けることができる。そして、三脚スタンド２１を開閉することによって伸縮マスト３を任意の場所で固定することが可能であり、照明を必要とする場所に移動させてＬＥＤ照明器具４による照明が可能となる。尚、この伸縮マスト３に複数のＬＥＤ照明器具４を取付ける際には挿通マスト１９の先端部に保持部材２４が取付けられ、ボルト２３によって回動可能に固定される。
【００２１】
ＬＥＤ照明器具４は、複数のＬＥＤ素子を配置した基板を光源とし、上記伸縮マスト３の先端部或いは保持部材２４の所定位置に着脱可能に取付けられ、水平方向及び垂直方向に回動可能とされている。そして商用電源である交流１００Ｖ若しくは蓄電池１１から直流交流変換器(図示せず）によって得られた交流１００Ｖによって発光する。
【００２２】
上記構成のＬＥＤ照明移動台車は、夜間の道路工事やトンネル工事において、光源を必要とする箇所まで人手によって移動し、挿通マストを上下移動させて高さ調節を行い、照明を当てる範囲を調節することができる。しかも、予め充電された蓄電池から直流交流変換器を介してＬＥＤ照明器具を発光させるため、動力発電機などを使用せずに静かな作業環境が得られる。また、必要に応じてＬＥＤ照明器具を取り外して移動させることが可能であり、延長コードなどを使用して、ＬＥＤ照明移動台車から離れた他の作業にも活用可能である。
【００２３】
以上、本考案のＬＥＤ照明移動台車によれば、ＬＥＤ照明器具を使用することによって、消費電力量を軽減することができ、また伸縮可能且つ移動自在な伸縮マストを使用してＬＥＤ照明器具を移動し多用な照明を行なうことが可能となる。
【符号の説明】
【００２４】
１              ＬＥＤ照明移動台車
２              台車本体
３              伸縮マスト
４              ＬＥＤ照明器具
５              固定車輪
６              可動車輪
７              ストッパー
８              手摺
９              受け部
１０              筒体
１１              畜電池
１２              メンテナンス用蓋
１３              接続用ケーブル
１４              コンセント
１５              スイッチ
１６              充電用コンセント
１７              スタッド端子
１８              切替えスイッチ
１９              挿通マスト
２０              中空マスト
２１              三脚スタンド
２２              伸縮調整部材
２３              ボルト
２４              保持部材
【図１】
0003151060.tif 000003
【図２】
0003151060.tif 000004
【図３】
0003151060.tif 000005
【図４】
0003151060.tif 000006